(57)【要約】【課題】太陽光パネルを傾斜させて屋根に取り付けるパネル取付構造において、最前列の太陽光パネルのフレームの低い部分を固定する第１の部材と、最後列の太陽光パネルのフレームに高い部分を固定する第２の部材とにより、太陽光パネルの傾斜方向に隣接して並ぶ太陽光パネルの対向する端部を固定することを可能とする。【解決手段】屋根最前列の太陽光パネルのフレームの低い部分ＬＳｐｆを第１の面Ｓｆ１上で固定する第１の部材１１０と、屋根最後列の太陽光パネルのフレームの高い部分ＨＳｆｐを第１の面より高い第２の面Ｓｆ２上で固定する第２の部材１２０とを器具本体の１つの支柱に装着する。【選択図】図３
2014214429.tif 000002
【特許請求の範囲】
【請求項１】
複数の太陽光パネルを取り付けるパネル取付構造であって、
該各太陽光パネルの一方のフレームの低い部分を固定する第１の部材と他方のフレームの高い部分を固定する第２の部材とを連結固定する構造にすることで、隣接する太陽光パネルを連結する、パネル取付構造。
【請求項２】
前記複数の太陽光パネルは傾けて支持体に取り付けられており、
前記パネル取付構造は、
前記支持体に固定されかつ支柱を有する複数の器具本体と、
該各太陽光パネルのフレームの低い部分に取り付けられ、該低い部分に対応する該支柱に該低い部分を固定する第１の部材と、
該各太陽光パネルのフレームの高い部分に取り付けられ、該高い部分に対応する該支柱に該低い部分を固定する第２の部材と
を有し、
該各太陽光パネルのフレームの低い部分に取り付けられた該第１の部材と、その各太陽光パネルに隣接する他の太陽光パネルのフレームの高い部分に取り付けられた該第２の部材とは１つの該支柱に固定されている、請求項１に記載のパネル取付構造。
【請求項３】
前記第１の部材における、前記各太陽光パネルのフレームの低い部分を載置する第１の載置面と、前記第２の部材における、その各太陽光パネルに隣接する他の太陽光パネルのフレームの高い部分を載置する第２の載置面とが重ならないように、該第１の載置面の法線方向を該第２の載置面の法線方向に対してずらしている、請求項２に記載のパネル取付構造。
【請求項４】
前記第１の載置面の法線方向は前記支柱の軸と一致している、請求項３に記載のパネル取付構造。
【請求項５】
前記第１の部材は、
前記支柱を挿入するための第１の支柱挿入孔を含み、該第１の支柱挿入孔に該支柱を通すことにより前記器具本体に装着したとき、前記第１の載置面を形成する第１の架台と、
該支柱に該第１の面上に位置するように取り付けられ、該支柱の一方側に位置する該フレームを該第１の面に押圧する第１の押さえ部材と
を有し、
前記第２の部材は、
該支柱を挿入するための第２の支柱挿入孔を含み、該第２の支柱挿入孔に該支柱を通すことにより該器具本体に取り付けたとき、前記第２の載置面を形成する第２の架台と、
該第２の架台に該第２の面上に位置するように取り付けられ、該支柱の他方側に位置する該フレームを該第２の面に押圧する第２の押さえ部材と
を有する、請求項３または請求項４に記載のパネル取付構造。
【請求項６】
前記フレームは、該フレームの外周に沿って設けられたフランジを有し、
前記第１の部材は、前記支柱の一方側に位置する該フレームのフランジを、前記第１の面と前記第１の押さえ部材の下面とにより挟み込むことにより該フレームを該第１の面上で固定し、
前記第２の部材は、前記支柱の他方側に位置する該フレームのフランジを、前記第２の面と前記第２の押さえ部材の下面とにより挟み込むことにより該フレームを該第２の面上で固定する、請求項５に記載のパネル取付構造。
【請求項７】
前記第１の押さえ部材は、前記第１の面に対向する上面部と、該上面部の一端縁から下方に延びる側面部とを有し、
該側面部の下端部には、前記第１の架台の上部が収容される切り込み部が形成されており、該切り込み部と該第１の架台の上部との係合により、該第１の架台に対する該第１の押さえ部材の回転が規制される、請求項５あるいは請求項６に記載のパネル取付構造。
【請求項８】
前記第２の架台は、前記器具本体に固定される下面部と、該下面部に対向する上面部と、該下面部の一端縁から上方に延びて該上面部の一端縁につながる側面部とを有し、
該第２の架台の上面部は、前記第２の面を形成し、
該第２の架台の下面部には、前記第２の支柱挿入孔として長孔が形成されている、請求項５から請求項７のいずれか１項に記載のパネル取付構造。
【発明の詳細な説明】
【技術分野】
【０００１】
本発明は、パネル取付構造に関し、特に、複数の太陽光パネルを傾斜させて金属屋根などの支持体に取り付けるための構造に関する。
【背景技術】
【０００２】
従来から、太陽光発電システムには太陽光パネルを屋根に設置するものがある。
【０００３】
図１２は、太陽光パネルをハゼ式折板屋根に取り付けた太陽光発電システムを説明する図であり、太陽光パネルの配列を示している。
【０００４】
この太陽光発電システムでは、屋根上に配置された太陽光パネルＳは、第１のベース部材２１０と第２のベース部材２２０に跨るようにこれらのベース部材に取り付けられている。第１のベース部材２１０は第２のベース部材２２０より低いものであり、各太陽光パネルはハゼ式折板屋根Ｒに対して傾斜している。またこれらのベース部材は、ハゼ式折板屋根のハゼ部（つまりカシメ加工で形成された強度のある線状接合部）Ｒｃに取り付けられた取付器具２３０に締結部材により固定されている。
【０００５】
この太陽光発電システムでは、前列の太陽光パネルＳと後列の太陽光パネルＳは所定の間隔Ｄを空けて配置されている。
【０００６】
これは、図１２に示すように太陽光Ｌが太陽光パネルＳに対して斜めに入射するとき、屋根の高い位置に位置する太陽光パネルＳ（図１２の紙面右側の太陽光パネル）の低い側の端部ＨＬｅが、屋根の低い位置に位置する太陽光パネルＳ（図１２の紙面左側の太陽光パネル）の高い側の端部ＬＨｅの影になって発電効率が低下するのを回避するためである。
【０００７】
ところで、近年、高い位置に配置されている太陽光パネルの低い側の端部が、低い位置に配置されている太陽光パネルの高い側の端部の影になっても、発電効率があまり低下しないような太陽光パネルも開発されている。
【０００８】
このような太陽光パネルを用いた太陽光発電システムでは、屋根の傾斜方向に沿って太陽光パネルを配置する場合、隣接する太陽光パネルの間隔を狭めることができ、これにより、屋根の面積を有効利用することができる。
【０００９】
このように隣接する太陽光パネルの間隔を狭めて設置する場合、作業性などの点から、太陽光パネルの隣接する端部を一括してベース材に固定する固定部材が用いられ、例えば、特許文献１などには、このような固定部材を有する太陽光発電ユニットの取付装置が開示されている。
【００１０】
図１３は、特許文献１に開示の太陽光発電システムを示している。
【００１１】
この太陽光発電システムでは、最も低い位置（図１３の左端）にある太陽光パネルＡのフレームの低い部分（図中の（ア）部分）は、第１の固定部材２によりベース部材１に固定されている。最も高い位置（図１３の右端）にある太陽光パネルＡのフレームの高い部分（図中の（ウ）部分）は、第２の固定部材３によりベース部材１に固定されている。そして、隣接する太陽光発電ユニットＡのフレームが対向する部分（図中の（イ）部分）では、一方のフレームの高い部分と他方のフレームの低い部分とは、第３の固定部材４により１つのベース部材１に固定されている。なお、ベース部材１は、ハゼ式折板屋根Ｂのハゼ部Ｊに取り付けられている。
【先行技術文献】
【特許文献】
【００１２】
【特許文献１】特開２０１２−１６７４５６号公報
【発明の概要】
【発明が解決しようとする課題】
【００１３】
ところが、隣接する太陽光発電ユニットのフレームの対向する部分をまとめて１つのベース部材に固定する場合、この特許文献１に開示のように、低位置の太陽光パネルのフレームの低い部分を固定する第１の部材、および高位置の太陽光パネルのフレームの高い部分を固定する第２の部材という２種類の固定部材の他に、隣接する太陽光パネルの一方のフレームの高い部分と、その他方のフレームの低い部分とをベース部材に固定するための第３の部材が必要であり、部品の種類が多くなるという問題がある。
【００１４】
本発明は、上記のような問題点を解決するためになされたものであり、屋根上に太陽光パネルを所定角度で傾けて取り付けることができ、しかも、隣接する太陽光パネルの一方のフレームの高い部分を固定する第１の部材と、その他方のフレームの低い部分を固定する第２の部材とを組み合わせて、隣接する太陽光パネルのフレームを連結することができ、これにより取付器具の部品の種類を少なくできるパネル取付構造を得ることを目的とする。
【課題を解決するための手段】
【００１５】
本発明に係るパネル取付構造は、複数の太陽光パネルを取り付けるパネル取付構造であって、該各太陽光パネルの一方のフレームの低い部分を固定する第１の部材と他方のフレームの高い部分を固定する第２の部材とを連結固定する構造にすることで、隣接する太陽光パネルを連結するものであり、そのことにより上記目的が達成される。
【００１６】
本発明は、上記パネル取付構造において、前記複数の太陽光パネルは傾けて支持体に取り付けられており、前記支持体に固定されかつ支柱を有する複数の器具本体と、該各太陽光パネルのフレームの低い部分に取り付けられ、該低い部分に対応する支柱に該低い部分を固定する第１の部材と、該各太陽光パネルのフレームの高い部分に取り付けられ、該高い部分に対応する支柱に該高い部分を固定する第２の部材とを有し、該各太陽光パネルのフレームの低い部分に取り付けられた該第１の部材と、その各太陽光パネルに隣接する他の太陽光パネルのフレームの高い部分に取り付けられた該第２の部材とは１つの該支柱に固定されていることが好ましい。
【００１７】
本発明は、上記太陽光パネルの取付構造において、前記第１の部材における、前記各太陽光パネルのフレームの低い部分を載置する第１の載置面と、前記第２の部材における、その各太陽光パネルに隣接する他の太陽光パネルのフレームの高い部分を載置する第２の載置面とが重ならないように、該第１の載置面の法線方向を該第２の載置面の法線方向に対してずらしていることが好ましい。
【００１８】
本発明は、上記太陽光パネルの取付構造において、前記第１の載置面の法線方向は前記支柱の軸と一致していることが好ましい。
【００１９】
本発明は、上記太陽光パネルの取付構造において、前記第１の部材は、前記支柱を挿入するための第１の支柱挿入孔を含み、該第１の支柱挿入孔に該支柱を通すことにより前記器具本体に装着したとき、前記第１の面を形成する第１の架台と、該支柱に該第１の面上に位置するように取り付けられ、該支柱の一方側に位置する該フレームを該第１の面に押圧する第１の押さえ部材とを有し、前記第２の部材は、該支柱を挿入するための第２の支柱挿入孔を含み、該第２の支柱挿入孔に該支柱を通すことにより該器具本体に取り付けたとき、前記第２の面を形成する第２の架台と、該第２の架台に該第２の面上に位置するように取り付けられ、該支柱の他方側に位置する該フレームを該第２の面に押圧する第２の押さえ部材とを有することが好ましい。
【００２０】
本発明は、上記太陽光パネルの取付構造において、前記フレームは、該フレームの外周に沿って設けられたフランジを有し、前記第１の部材は、前記支柱の一方側に位置する該フレームのフランジを、前記第１の面と前記第１の押さえ部材の下面とにより挟み込むことにより該フレームを該第１の面上で固定し、前記第２の部材は、前記支柱の他方側に位置する該フレームのフランジを、前記第２の面と前記第２の押さえ部材の下面とにより挟み込むことにより該フレームを該第２の面上で固定することが好ましい。
【００２１】
本発明は、上記太陽光パネルの取付構造において、前記第１の押さえ部材は、前記第１の面に対向する上面部と、該上面部の一端縁から下方に延びる側面部とを有し、該側面部の下端部には、前記第１の架台の上部が収容される切り込み部が形成されており、該切り込み部と該第１の架台の上部との係合により、該第１の架台に対する該第１の押さえ部材の回転が規制されることが好ましい。
【００２２】
本発明は、上記太陽光パネルの取付構造において、前記第２の架台は、前記器具本体に固定される下面部と、該下面部に対向する上面部と、該下面部の一端縁から上方に延びて該上面部の一端縁につながる側面部とを有し、該第２の架台の上面部は、前記第２の面を形成し、該第２の架台の下面部には、前記第２の支柱挿入孔として長孔が形成されていることが好ましい。
【発明の効果】
【００２３】
本発明によれば、屋根上に太陽光パネルを所定角度で傾けて取り付けることができ、しかも、最前列の太陽光パネルの低い側の端部を固定する第１の部材と、最後列の太陽光パネルの高い側の端部を固定する第２の部材とを組み合わせて、太陽光パネルの傾斜方向に沿って配置された隣接する太陽光パネルを連結することができ、これにより取付器具の部品の種類を少なくできるパネル取付構造を実現できる。
【図面の簡単な説明】
【００２４】
【図１】図１は、本発明の実施形態１によるパネル取付構造で用いる取付器具を説明する図であり、取付器具を用いて太陽光パネルをハゼ式折板屋根に取り付けた状態を示す斜視図（図１（ａ））および平面図（図１（ｂ））である。
【図２】図２は、本発明の実施形態１による取付器具を説明する図であり、取付器具を用いて太陽光パネルをハゼ式折板屋根に取り付けた状態を示す側面図である。
【図３】図３は、本発明の実施形態１による取付器具を用いて太陽光パネルをハゼ式折板屋根に取り付けた状態を説明する部分断面図であり、最前列の太陽光パネルの前端部（図３（ａ））、太陽光パネルの後端部とこれに対向する太陽光パネルの前端部（図３（ｂ））、および最後列の太陽光パネルの後端部（図３（ｃ））を示している。
【図４】図４は、本発明の実施形態１による取付器具の器具本体を説明する図であり、この器具本体の正面図（図４（ａ））、側面図（図４（ｂ））および断面図（図４（ｃ））を示している。
【図５】図５は、本発明の実施形態１による取付器具を説明する図であり、第１の部材を器具本体に取り付けるための構造（図５（ａ））、第２の部材を器具本体に取り付けるための構造（図５（ｃ））、および第１の部材および第２の部材を組み合わせて器具本体に取り付けるための構造（図５（ｂ））を示している。
【図６】図６は、本発明の実施形態１による取付器具を説明する図であり、取付器具を構成する第１の部材の架台（第１の架台）の斜視図、平面図、正面図、側面図（図６（ａ）、図６（ｂ）、図６（ｃ）、図６（ｄ））を示している。
【図７】図７は、本発明の実施形態１による取付器具を説明する図であり、取付器具を構成する第１の部材の押さえ部材（第１の押さえ部材）の斜視図、平面図、正面図、側面図（図７（ａ）、図７（ｂ）、図７（ｃ）、図７（ｄ））を示している。
【図８】図８は、本発明の実施形態１による取付器具を説明する図であり、取付器具を構成する第２の部材の架台（第２の架台）の斜視図、平面図、正面図、側面図（図８（ａ）、図８（ｂ）、図８（ｃ）、図８（ｄ））を示している。
【図９】図９は、本発明の実施形態１による取付器具を説明する図であり、取付器具を構成する第２の部材の押さえ部材（第２の押さえ部材）の斜視図、平面図、正面図、側面図（図９（ａ）、図９（ｂ）、図９（ｃ）、図９（ｄ））を示している。
【図１０】図１０は、本発明の実施形態１による取付器具を用いて太陽光パネルをハゼ式折板屋根に取り付ける方法を説明する斜視図である。
【図１１】図１１は、本発明の実施形態１による取付器具を用いて太陽光パネルをハゼ式折板屋根に取り付ける方法を説明する側面図である。
【図１２】図１２は、太陽光パネルをハゼ式折板屋根に取り付けた太陽光発電システムを説明する図であり、太陽光パネルの配列を示している。
【図１３】図１３は、特許文献１に開示の太陽光発電ユニットの取付構造を示している。
【発明を実施するための形態】
【００２５】
以下、本発明の実施形態について図面を参照しながら説明する。
【００２６】
（実施形態１）
図１から図３は、本発明の実施形態１によるパネル取付構造を説明する図である。
【００２７】
この実施形態１のパネル取付構造で用いる取付器具１００は、複数の太陽光パネルを傾斜させて、支持体であるハゼ式折板屋根のハゼ部に取り付けるための取付器具である。なお、この実施形態１では、太陽光パネルをハゼ式折板屋根の傾斜方向（Ｙ方向）に２つ配列する場合について説明するが、実際の太陽光発電システムでは、太陽光パネルはハゼ式折板屋根上に行列状に複数配列される。このような太陽光パネルの配列では、水平方向（Ｘ方向）に直線上に並ぶ複数の太陽光パネルからなる太陽光パネル列が、屋根の傾斜方向に２列以上配置される。また、太陽光パネルＳは、薄型のパネル本体ＳｐｂをフレームＳｐｆに取り付けた構造となっている。
【００２８】
この取付器具１００は、器具本体１３０と、第１の部材１１０と、第２の部材１２０とを有する。器具本体１３０は、支持体であるハゼ式折板屋根Ｒのハゼ部Ｒｃに固定されるものであり、器具本体１３０の上面から支柱１３１ａが突出した構造を有している。第１の部材１１０は、支柱１３１ａに装着したときに器具本体１３０上に第１の面Ｓｆ１を形成し、太陽光パネルＳ１、Ｓ２のフレームＳｐｆの低い部分ＬＳｐｆを第１の面Ｓｆ１（図３（ａ）、図３（ｂ）参照）上で固定するものである。第２の部材１２０は、支柱１３１ａに装着したときに、器具本体１３０上に第１の面Ｓｆ１より高い位置に第２の面Ｓｆ２（図３（ｂ）、図３（ｃ）参照）を形成し、太陽光パネルＳ１、Ｓ２のフレームの高い部分ＨＳｐｆを第２の面Ｓｆ２上で固定するものである。
【００２９】
ここで、第１の部材１１０および第２の部材１２０は、隣接する太陽光パネルＳ１、Ｓ２の間では組み合わせて用いられる。具体的には、１つの支柱１３１ａに第１の部材１１０および第２の部材１２０を装着することにより、隣接する太陽光パネルＳ１およびＳ２の間に第１の面Ｓｆ１および第２の面Ｓｆ２が形成される。隣接する太陽光パネルの一方Ｓ２のフレームの低い部分ＬＳｐｆは第１の部材１１０により第１の面Ｓｆ１上で固定され、隣接する太陽光パネルの他方Ｓ１のフレームの高い部分ＨＳｐｆは第２の部材１２０により第２の面Ｓｆ２上に固定される。
【００３０】
以下、取付器具を構成する器具本体、第１の部材、第２の部材について詳しく説明する。
【００３１】
図４は、器具本体の正面図（図４（ａ））、側面図（図４（ｂ））および断面図（図４（ｃ））を示している。
【００３２】
ここで、器具本体１３０は、図４に示すように、左右一対の挟持部材８０と、挟持部材８０の間に配設されるボルト保持部材８１を有している。ボルト保持部材８１には、ボルト部材１３１ａが保持されている。このボルト部材１３１ａは、上記器具本体１３０の支柱を構成している。
【００３３】
左右一対の挟持部材８０およびボルト保持部材８１に横方向の通孔８５が設けられている。この通孔８５に横ボルト８３を通してナット８４で締結することにより、一対の挟持部材８０は、ハゼ式折板屋根Ｒのハゼ部Ｒｃを挟むようにしてハゼ式折板屋根Ｒ上に固定される。
【００３４】
図５は取付器具の分解斜視図であり、図６は、取付器具の第１の部材を構成する第１の架台を示す図、図７は、取付器具の第１の部材を構成する第１の押さえ部材を示す図である。
【００３５】
第１の部材１１０は、図５（ａ）、図５（ｂ）に示すように、第１の架台１１０ａと第１の押さえ部材１１０ｂとを有する。第１の架台１１０ａは、第１の面Ｓｆ１および第１の支柱挿入孔１１１ａ１、１１２ａ１（図６（ｄ）参照）を含み、第１の支柱挿入孔１１１ａ１、１１２ａ１に支柱１３１ａを通すことにより器具本体１３０に取り付けられる。第１の押さえ部材１１０ｂは、支柱１３１ａに第１の面Ｓｆ１上に位置するように取り付けられ、フレームＳｐｆの低い部分ＬＳｐｆを第１の面Ｓｆ１に押圧するものである。
【００３６】
第２の部材１２０は、図５（ｃ）、図５（ｂ）に示すように、第２の架台１２０ａと第２の押さえ部材１２０ｂとを有する。第２の架台１２０ａは、第２の面Ｓｆ２および第２の支柱挿入孔１２１ａ１（図８（ａ）参照）を含み、第２の支柱挿入孔１２１ａ１に支柱１３１ａを通すことにより器具本体１３０に取り付けられる。第２の押さえ部材１２０ｂは、第２の架台１２０ａに第２の面Ｓｆ２上に位置するように取り付けられ、フレームＳｆｐの高い部分ＨＳｐｆを第２の面Ｓｆ２に押圧する。
【００３７】
ここで、フレームＳｐｆは、図３に示すように、フレームＳｐｆの外周に沿って設けられたフランジＳｆを有している。このフランジＳｆの縁には、上方に突出した突起Ｓｆｔが形成されている。ただし、フランジＳｆの縁の突起は、下方に突出したものでもよく、フランジの形状はこの実施形態１のものに限定されるものではない。また、フレームはフランジを有していないものでもよい。
【００３８】
詳述すると、第１の部材１１０は、支柱１３１ａの片側に位置するフレームＳｐｆのフランジＳｆを、第１の面Ｓｆ１と第１の押さえ部材１１０ｂの下面とにより挟み込むことによりフレームＳｐｆを第１の面Ｓｆ１上に固定する。第２の部材１２０は、支柱１３１ａの他方側に位置するフレームＳｐｆのフランジＳｆを、第２の面Ｓｆ２と第２の押さえ部材１２０ｂの下面とにより挟み込むことによりフレームＳｐｆを第２の面Ｓｆ２上に固定する。
【００３９】
第１の架台１１０ａは、図６に示すように、下面部１１１ａと、下面部１１１ａに対向する上面部１１２ａと、下面部１１１ａと上面部１１２ａとの間に形成された側面部１１３ａとを有する。下面部１１１ａおよび上面部１１２ａにはそれぞれ支柱としてのボルト部材１３１ａを挿入するための第１の支柱挿入孔１１１ａ１および１１２ａ１が形成されている。なお、図６（ａ）、図６（ｂ）、図６（ｃ）、および図６（ｄ）はそれぞれ、図５（ａ）に示す第１の部材１１０を構成する第１の架台１１０ａの斜視図、平面図、正面図、および側面図である。
【００４０】
第１の押さえ部材１１０ｂは、図７に示すように、第１の架台１１０ａの上面部１１２ａが形成する第１の面Ｓｆ１に対向する上面部１１１ｂと、上面部１１１ｂの一端縁から下方に延びる側面部１１２ｂと、上面部１１１ｂの他端縁を下方に折り返した折り返し部１１３ｂとを有する。この折り返し部１１３ｂの下端が太陽光パネルのフレームのフランジＳｆと当接する。側面部１１２ｂの下端部には、第１の架台１１０ａの上部が収容される切り込み部１１２ｂ１が形成されている。切り込み部１１２ｂ１と第１の架台１１０ａの上部との係合により、第１の架台１１０ａに対する第１の押さえ部材１１０ｂの回転が規制される。なお、図７（ａ）、図７（ｂ）、図７（ｃ）、および図７（ｄ）はそれぞれ、第１の押さえ部材１１０ｂの斜視図、平面図、正面図、および側面図である。
【００４１】
第２の架台１２０ａは、図８に示すように、器具本体１３０に固定される下面部１２１ａと、下面部１２１ａに対向する上面部１２２ａと、下面部１２１ａの一端縁から上方に延びて上面部１２２ａの一端縁につながる側面部１２３ａとを有している。第２の架台１２０ａの上面部１２２ａは、第２の面Ｓｆ２を形成し、上面部１２２ａにはボルト部材１３２ａを挿入するためのボルト挿入孔１２２ａ１が形成されている。第２の架台１２０ａの下面部１２１ａには、第２の支柱挿入孔１２１ａ１が形成されている。ここでは第２の支柱挿入孔１２１ａ１は長孔としている。なお、図８（ａ）、図８（ｂ）、図８（ｃ）、および図８（ｄ）はそれぞれ、第２の架台１２０ａの斜視図、平面図、正面図、および側面図である。
【００４２】
第２の押さえ部材１２０ｂは、図９に示すように、第２の架台１２０ａの上面部１２２ａが形成する第２の面Ｓｆ２に対向する上面部１２１ｂと、上面部１２１ｂの一端縁から下方に延びる側面部１２２ｂと、上面部１２１ｂの他端縁を下方に折り返した折り返し部１２３ｂとを有する。この折り返し部１２３ｂの下端が太陽光パネルのフレームＳｐｆのフランジＳｆと当接する。上面部１２１ｂにはボルト挿入孔１２１ｂ１が形成されている。なお、上面部１２１ｂは、ボルト挿入孔１２１ｂ１の両側に補強用凸部１２１ｂ２を形成したものでもよい。また、折り返し部１２３ｂは、その両側辺部の一部１２３ｂ１を第２の押さえ部材１２０ｂの内側に折り曲げた構造としてもよい。なお、図９（ａ）、図９（ｂ）、図９（ｃ）、図９（ｄ）はそれぞれ、第２の押さえ部材１２０ｂの斜視図、平面図、正面図、および側面図である。
【００４３】
ここで、取付器具１００は、器具本体１３０、第１の部材１１０、および第２の部材１２０を金属材料で構成した金具である。例えば、第１の部材１１０を構成する第１の架台１１０ａおよび第１の押さえ部材１１０ｂ、並びに第２の部材１２０を構成する第２の架台１２０ａおよび第２の押さえ部材１２０ｂは、金属板のプレス加工により形成したものであり、亜鉛メッキなどの処理が施されている。ただし、取付器具１００は、器具本体１３０、第１の部材１１０、および第２の部材１２０を金属材料以外の材料で構成したものでもよい。
【００４４】
次に、この取付器具１００を用いて太陽光パネルをハゼ式折板屋根Ｒに取り付ける方法について説明する。
【００４５】
図１０および図１１はそれぞれ、太陽光パネルをハゼ式折板屋根に取り付ける方法を説明する斜視図および側面図である。
【００４６】
ここでは、説明を簡単にするために、図１（ａ）および図１（ｂ）に示すように、ハゼ式折板屋根Ｒの低い位置（前列）および高い位置（後列）にそれぞれ太陽光パネルＳ１およびＳ２を取り付ける方法について説明する。
【００４７】
図１０および図１１に示すように、太陽光パネルＳを設置するハゼ式折板屋根Ｒのハゼ部Ｒｃに取付器具１００の器具本体１３０を所定の配置間隔で取り付ける。
【００４８】
続いて、屋根Ｒの低い位置から順に太陽光パネルＳを取り付ける。つまり、図１０では、前列の太陽光パネルＳ１を取り付けてから後列の太陽光パネルＳ２を取り付ける。
【００４９】
前列の太陽光パネルＳ１を取り付ける場合、まず、太陽光パネルＳ１のフレームの高い部分ＨＳｐｆに第２の部材１２０を取り付けておく。つまり、ボルト１３２ａを第２の架台１２０ａの上面部１２２ａのボルト挿入孔１２２ａ１に挿入し、さらにボルト１３２ａに第２の押さえ部材１２０ｂを装着する。続いて第２の架台１２０ａと第２の押さえ部材１２０ｂとにより太陽光パネルＳ１のフレームの高い部分ＨＳｐｆを挟んだ状態で、ボルト１３２ａにナット１３２ｂを装着して締め付ける。これにより、太陽光パネルＳ１のフレームの高い部分ＨＳｐｆに第２の部材１２０が取り付けられる。
【００５０】
次に太陽光パネルＳ１のフレームの低い部分ＬＳｐｆを、第１の部材１１０により器具本体１３０に固定する。つまり、器具本体１３０のボルト部材１３１ａに第１の架台１１０ａを装着し、太陽光パネルＳ１のフレームの低い部分ＬＳｐｆのフランジＳｆを第１の架台１１０ａの上面部１１２ａ（第１の面Ｓｆ１）上に載置し、太陽光パネルＳ１のフレームの高い部分ＨＳｐｆに取り付けた第２の部材１２０を、その下側に位置する器具本体１３０上に載せる。このとき、器具本体１３０のボルト部材１３１ａが第２の架台１２０ａの下面部１２１ａに形成された第２の支柱挿入孔１２１ａ１に挿入されるようにする。
【００５１】
さらに、太陽光パネルＳ１のフレームの低い部分ＬＳｐｆを固定するためのボルト部材１３１ａに第１の押さえ部材１１０ｂを装着し、ボルト部材１３１ａにナット１３１ｂを装着して締め付ける。これにより第１の部材１１０は、図３（ａ）に示すように、支柱１３１ａの片側に位置する太陽光パネルＳ１のフレームＳｐｆのフランジＳｆを、第１の面Ｓｆ１と第１の押さえ部材１１０ｂの下面とにより挟み込むことによりフレームＳｐｆを第１の面Ｓｆ１上に固定する。
【００５２】
続いて、後列の太陽光パネルＳ２を取り付ける。このとき、太陽光パネルＳ２のフレームの高い部分ＨＳｐｆには、前列の太陽光パネルＳ１の取付時と同様に予め第２の部材１２０を取り付けておく。
【００５３】
次に太陽光パネルＳ２のフレームの低い部分ＬＳｐｆを、第１の部材１１０により器具本体１３０に固定する。つまり、第２の架台１２０ａが装着されたボルト部材１３１ａにさらに第１の架台１１０ａを装着する。その後、太陽光パネルＳ２のフレームの低い部分ＬＳｐｆのフランジＳｆを第１の架台１１０ａの上面部１１２ａ（第１の面Ｓｆ１）上に載置し、太陽光パネルＳ２のフレームの高い部分ＨＳｐｆに取り付けた第２の部材１２０を、その下側に位置する器具本体１３０上に載せる。このとき、器具本体１３０のボルト部材１３１ａが第２の架台１２０ａの下面部１２１ａに形成された第２の支柱挿入孔１２１ａ１に挿入されるようにする。さらに、ボルト部材１３１ａに第１の押さえ部材１１０ｂを装着し、ボルト部材１３１ａにナット１３１ｂを装着して締め付ける。これにより第１の部材１１０は、図３（ｂ）に示すように、支柱１３１ａの一方側に位置する太陽光パネルＳ１のフレームＳｐｆの低い部分ＬＳｐｆのフランジＳｆを、第１の面Ｓｆ１と第１の押さえ部材１１０ｂの下面とにより挟み込むことによりフレームＳｐｆを第１の面Ｓｆ１上に固定する。同時に、第２の部材１２０は、図３（ｂ）に示すように、支柱１３１ａの他方に位置する太陽光パネルＳ１のフレームＳｐｆの高い部分ＨＳｐｆのフランジＳｆを、第２の面Ｓｆ２と第２の押さえ部材１２０ｂの下面とにより挟み込むことによりフレームＳｐｆを第２の面Ｓｆ２上に固定する。
【００５４】
最後に、太陽光パネルＳ２のフレームの高い部分ＨＳｐｆを、第２の部材１２０により器具本体１３０に固定する。つまり、器具本体１３０のボルト部材１３１ａにナット１３１ｂを装着して締め付ける。これにより第２の部材１２０は、図３（ｃ）に示すように、支柱１３１ａの他方に位置する太陽光パネルＳ２のフレームＳｐｆのフランジＳｆの高い部分ＨＳｐｆのフランジＳｆを、第２の面Ｓｆ２と第２の押さえ部材１２０ｂの下面とにより挟み込むことによりフレームＳｐｆを第２の面Ｓｆ２上に固定する。
【００５５】
このように本実施形態１では、太陽光パネルを傾斜させて屋根に取り付ける取付器具１００において、屋根の最前列（最低位置）の太陽光パネルＳ１のフレームの低い部分ＬＳｐｆを第１の面Ｓｆ１上で固定する第１の部材１１０と、最後列（最高位置）の太陽光パネルのフレームの高い部分ＨＳｆｐを第１の面より高い第２の面Ｓｆ２上で固定する第２の部材１２０とを備え、第１の部材１１０および第２の部材１２０を１つの支柱１３１ａに装着可能な構成としている。このため、第１の部材１１０と第２の部材１２０とを１つの支柱に装着することにより、太陽光パネルの傾斜方向に隣接して並ぶ太陽光パネルの対向する端部を固定することが可能となる。
【００５６】
これにより、第１の部材１１０および第２の部材１２０により、それぞれ最前列の太陽光パネルのフレームの低い部分ＬＳｐｆ、および最後列の太陽光パネルのフレームの高い部分ＨＳｐｆを器具本体１３０に固定できるだけでなく、第１の部材１１０と第２の部材１２０との組み合わせにより、太陽光パネルの傾斜方向に並ぶ隣接する太陽光パネルの一方のフレームの高い部分ＨＳｐｆと、他方のフレームの低い部分ＬＳｐｆとを器具本体１３０に固定することができる。また、第１の部材１１０の第１の架台１１０ａと第２の部材１２０の第２の架台１２０ａとは１つの支柱１３１ａに一括して固定されるので、これらの架台の固定作業を作業性よく行うことができる。この結果、太陽光パネルの取付作業の作業性がよく、部品の種類が少ない取付器具を実現できる。
【００５７】
また、第１の部材１１０と第２の部材１２０とを別体とし、第２の部材１２０の第２の架台１２０ａの下面部１２１ａに形成した第１の支柱挿入孔１２１ａ１を長孔としているので、第２の部材１２０を器具本体の支柱１３１ａおよび第１の部材１１０に対して相対的に移動させることができ、器具本体１３０の取り付けピッチがばらついてもそのばらつきをこの長孔で吸収することができる。
【００５８】
また、フレームＳは、フレームＳの外周に沿って設けられたフランジＳｆを有し、第１の部材１１０および第２の部材１２０はそれぞれ、フレームＳのフランジＳｆを、架台と押さえ部材とにより挟み込むことによりフレームを固定している。このようにフランジを挟んで固定する場合、フレームの全体を挟んで固定する場合に比べると、第１、第２の押さえ部材１１０ｂ、１２０ｂのサイズを、フランジがフレームに比べて薄い分だけ小さくすることができる。
【００５９】
また、第１の押さえ部材１１０ｂの側面部１１２ｂの下端部には、第１の架台１１０ａの上部が収容される切り込み部１１２ｂ１を形成しているので、切り込み部１１２ｂ１と第１の架台１１０ａの上部との係合により、第１の架台１１０ａに対する第１の押さえ部材１１０ｂの回転が規制される。このため、電動工具を用いてナット１３１ｂを締め付けることにより第１の押さえ部材１１０ｂによりフレームの低い部分ＬＳｐｆを第１の架台１１０ａに固定する場合には、第１の押さえ部材１１０ｂの供回りを回避することができ、フレームＳの固定を作業性よく行うことができる。
【００６０】
なお、上記実施形態１では、支持体として上記のような例えばハゼ式折板屋根を示したが、他に、支持体としては、嵌合式の折板屋根、重ね式の折板屋根などを用いることができる。この場合は、屋根に固定フレームを固定し、この固定フレームに取付部品を取り付ける。また、言うまでもないが、地面を支持体として用いることも可能である。
【００６１】
また、太陽光パネルのフレームとして、その外周に沿って形成されたフランジを有するものを示し、取付器具の第１の部材および第２の部材としては、このフランジをそれぞれの架台と押さえ部材とにより挟み込んで固定するものを示しているが、太陽光パネルのフレームは、上記フランジを有していない構造のものでもよい。
【００６２】
この場合は、取付器具の第１の部材および第２の部材を、フレーム自体をそれぞれの架台と押さえ部材とにより挟み込んで固定する構造とすればよい。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６４】
本発明は、パネル取付構造の分野において、屋根上に太陽光パネルを所定角度で傾けて取り付けることができ、しかも、最前列の太陽光パネルの低い側の端部を固定する第１の部材と、最後列の太陽光パネルの高い側の端部を固定する第２の部材とを組み合わせて、隣接する太陽光パネルを連結することができ、これにより取付器具の部品の種類を少なくできるパネル取付構造を実現できる。
【符号の説明】
【００６５】
８０  挟持部材
８１  ボルト保持部材
８３  横ボルト
８４  ナット
８５  通孔
１００  取付器具
１１０  第１の部材
１１０ａ  第１の架台
１１０ｂ  第１の押さえ部材
１１１ａ、１２１ａ  下面部
１１１ｂ、１１２ａ、１２１ｂ、１２２ａ  上面部
１１１ａ１、１１２ａ１  第１の支柱挿入孔
１１２ｂ、１１３ａ、１２２ｂ、１２３ａ  側面部
１１２ｂ１  切り込み部
１１３ｂ  折り返し部
１２０  第２の部材
１２０ａ  第２の架台
１２０ｂ  第２の押さえ部材
１２１ａ１  第２の支柱挿入孔
１２１ｂ２  補強用凸部
１２３ｂ  折り返し部と
１３０  器具本体
１３１ａ、１３２ａ  支柱（ボルト部材）
１３１ｂ、１３２ｂ  ナット
ＨＳｐｆ  フレームの高い部分
ＬＳｐｆ  フレームの低い部分
Ｒ  ハゼ式折板屋根
Ｒｃ  ハゼ部
Ｓ１、Ｓ２  太陽光パネル
Ｓｆ  フランジ
Ｓｆ１  第１の面
Ｓｆ２  第２の面
Ｓｐｆ  フレーム
【図１】
2014214429.tif 000003
【図２】
2014214429.tif 000004
【図３】
2014214429.tif 000005
【図４】
2014214429.tif 000006
【図５】
2014214429.tif 000007
【図６】
2014214429.tif 000008
【図７】
2014214429.tif 000009
【図８】
2014214429.tif 000010
【図９】
2014214429.tif 000011
【図１０】
2014214429.tif 000012
【図１１】
2014214429.tif 000013
【図１２】
2014214429.tif 000014
【図１３】
2014214429.tif 000015